(57)【要約】      （修正有）【課題】トランプを自動で、多数回バラバラにしてカード混合分配するトランプカード混合分配機を提供する。【解決手段】トランプカード混合分配機は、主に一機台に透明台１を設置してそこに輸送構造１０、位置限定構造２０、支持構造３０、位置停止構造４０、カード発券構造５０を設置する。位置限定構造により、トランプを輸送構造へコントロールしながら揃えて落とし、輸送構造、支持構造によって多数枚のトランプを順にカードをバラバラにし、揃えて置き、位置停止構造によってトランプを揃えて重ね置きし、カード発券構造によって多数枚のトランプをそれぞれ二列に分けて再び多数回のカード混合分配を行う。【選択図】図１
0003137250.tif 000002
【実用新案登録請求の範囲】
【請求項１】
左右対称の透明台を具えた一機の台に左右対称の輸送構造、位置限定構造を設置したトランプシャッフル構造において、そのうち、
透明台内側辺に設置し、そこにモーターを具え、輸送輪を連接して設置し、輸送輪が両側辺でトランプを受けて輸送し、両側辺のトランプをバラバラにして重ね合わせ、カード混合分配する輸送構造と、
透明台外側辺に設置し、モーターを具え、駆動腕を連接設置し、駆動腕の先端が昇降台に接触して昇降させ、角度回転する停止片を枢設し、停止片が透明台の納置空間内の両辺に伸び、透明台の納置空間及び停止片上にトランプを置き、停止片が昇降台を下げてトランプを離し、そのトランプは輸送構造の輸送輪上に落ちる位置限定構造と、
透明台、輸送構造の間に設置し、スライドレールを具え、モーター、ネジ桿を設置し、ネジ桿を位置移動台に螺合し、位置移動台には台板を設置してトランプを受け、台板及び位置移動台がモーター、ネジ桿の回転を受けて昇降する支持構造から構成されることを特徴とするトランプカード混合分配機。
【請求項２】
前記機台の透明台上には、カード発券構造を設置し、カード発券構造はスライドレールを具え、モーター、ネジ桿を設置し、ネジ桿位置移動台に螺合し、位置移動台には撥片を設置し、その撥片は透明台の納置空間内に伸び、位置移動台、撥片が左右位置移動を制御し、撥片は支持構造台板上のトランプを透明台納置空間内に弾き、再びカード混合分配することを特徴とする請求項１記載のトランプカード混合分配機。
【請求項３】
前記機台透明台は、その間に位置停止構造を設置し、その位置停止構造はモーターを具え、円弧面の停止塊を設置し、モーターの動作を受けて停止塊を支持構造の台板上方に角度回転させ、円弧面の停止塊によって、トランプを停止させて跳ねないようにし、揃えて重ね置きすることを特徴とする請求項１記載のトランプカード混合分配機。
【考案の詳細な説明】
【技術分野】
【０００１】
本考案は、トランプカード混合分配機に関するもので、主に輸送構造、位置限定構造、支持構造、位置停止構造、カード発券構造を設置し、多数枚トランプに対して、位置移動、昇降、シャッフル、輸送、分列、重ね置きを行い、多数回自動カード混合分配を行うものである。
【背景技術】
【０００２】
公知のトランプカード混合分配機はすべて人の手により、多数枚トランプカードを機器内に入れ、一回のカード混合分配が完成した後、再び人の手で取り出し、そしてまた再びカード混合分配機に入れてカード混合分配させる。
【特許文献１】特開２００６−５１３９４号公報
【考案の開示】
【考案が解決しようとする課題】
【０００３】
解決しようとする問題点は、ただ一回カード混合分配ができるだけで二回カード混合分配したい場合には再び手で取り出して置き、人が関わらなければならず、手間と時間がかかり、更に人の手に触れるため、カード混合分配にカンニングが発生する可能性もある点である。
【課題を解決するための手段】
【０００４】
本考案は、主に一機の台に透明台を設置してそこに輸送構造、位置限定構造、支持構造、位置停止構造、カード発券構造を設置する。位置限定構造により、トランプを輸送構造へコントロールしながら揃えて落とし、輸送構造、支持構造によって多数枚のトランプを順にカードをバラバラにし、揃えて置き、位置停止構造によってトランプを揃えて重ね置きし、カード発券構造によって多数枚のトランプをそれぞれ二列に分けて再び多数回のカード混合分配を行うことを最も主要な特徴とする。
【考案の効果】
【０００５】
本考案のトランプカード混合分配機は、人がトランプに触れることなく、自動で多数回カード混合分配を行い、手間を省き、スピーディに行うという利点がある。
【考案を実施するための最良の形態】
【０００６】
図１、２、３、４、５、６、７、８は、左右対称の透明台１を具えた一機台で、左右対称の輸送構造１０、位置限定構造２０を設置し、更に支持構造３０、位置停止構造４０、カード発券構造５０を設置する。
【０００７】
そのうち、輸送構造１０は、透明台１内側辺に設置し、モーター１１を具え、輸送輪１２を設置して連接する。輸送輪１２は両側辺にあり、トランプ３を受けて送り、両側辺のトランプ３をバラバラにした後重ねる。
【０００８】
位置限定構造２０は、透明台１外側辺に設置し、モーター２１を具え、駆動腕２２を設置して連接する。駆動腕２２の先端は昇降台２３に接触して昇降する。更に角度回転する停止片２４を設置し、停止片２４は透明台１に延びて納置空間２の両辺に設置する。透明台１の納置空間２及び停止片２４上にトランプ３を置き、停止片２４は昇降台２３の下降によってトランプ３を下ろし、トランプ３を輸送構造１０の輸送輪１２上に落とす。
【０００９】
支持構造３０は、透明台１、輸送構造１０間に於いてスライドレール３２を具え、モーター３１、ネジ桿３３を設置する。ネジ桿３３は更に位置移動台３４をネジ止めし、位置移動台３４には台板３５を設置し、トランプ３を受ける。台板３５及び位置移動台３４はモーター３１、ネジ桿３３の回転を受けて昇降する。
【００１０】
位置停止構造４０は、透明台１の間に設置し、モーター４１を具え、円弧面４３の停止塊４２を設置して連接し、モーター４１動作を受けて停止塊４２を支持構造３０の台板３５上方まで回転させ、円弧面４３の停止塊４２によってトランプ３を跳ねずに揃えて重ね置きする。
【００１１】
カード発券構造５０は、透明台１上方に設置し、スライドレール５２を具え、モーター５１、ネジ桿５３を設置する。ネジ桿５３には更に位置移動台５４をネジ止めし、位置移動台５４には撥片５５を設置する。撥片５５は透明台１納置空間内に伸び、位置移動台５４、撥片５５が左右に位置移動するのを制御する。撥片５５は支持構造３０の台板３５上のトランプ３を透明台１納置空間２内まで飛ばす。
【００１２】
本考案の使用、作用、効果について、スタート時は図３、４に示すとおりである。先ず多数枚のトランプ３を両側辺の透明台１の容置空間２内に置く。この時、位置限定構造２０の停止片２４はトランプ３を停止させた状態にする。つまり位置限定構造２０の駆動腕２２が仰角状態で停止片２４がトランプ３を纏めて重ね置きする。位置限定構造２０のモーター２１が駆動腕２２を回転させて一角度に回転した時、図５、６に示すとおり、昇降台２３が下降し、停止片２４を下向き角度に回転させ、即ち開放状態を形成する。またトランプ３を輸送構造１０の輸送輪１２上に落とすと、支持構造３０の台板３５は輸送輪１２位置に至る。カードをシャッフルする時、図７に示すとおり、輸送構造１０のモーター１１、輸送輪１２は回転し、輸送輪１２上方に於いてトランプ３を一枚だけ隙間Ｈに通過させ、両側辺のトランプ３は一枚一枚バラバラになって重なり合い、続いて支持構造３０の台板３５が受け取り、更にトランプ３が徐々に多くなると台板３５が徐々に下降し、保持対応する高度を保ち、バラバラになったカード後のトランプ３を受ける。位置停止構造４０の円弧面４３停止塊４２は、台板３５上方に位置し、トランプ３を停止して重ね合わせる。
【００１３】
上述のように一回カード混合分配した後、再び自動で重複多数回カード混合分配することができる。図８に示すとおり、支持構造３０の台板３５が徐々に上升すると、トランプ３もまた徐々に上昇する。この時カード発券構造５０のモーター５１、ネジ桿５３は往復正反転を行い、位置移動台５４、撥片５５は往復左右移動を行う。即ちトランプ３をそれぞれ両側辺の透明台１の納置空間２内へ投げ入れ、図３、４の状態に戻し、再度図５、６、７の動作でカードをバラバラにしてシャッフルする。別に本考案の透明台１は非透明状で設置してもよい。
【００１４】
上述のとおり、本考案は人がトランプに触れることなく、自動で多数回カード混合分配を行い、手間を省き、スピーディに行い、人の手に依るカード操作を防止するため、実用性と効果に優れる。
【図面の簡単な説明】
【００１５】
【図１】本考案の立体分解図である。
【図２】本考案組立断面図である。
【図３】本考案の初期状態正面図である。
【図４】本考案の初期状態右側断面図である。
【図５】本考案のトランプ掉下状態正面図である。
【図６】本考案のトランプ掉下状態右側断面図である。
【図７】本考案のカード混合分配状態の断面示意図である。
【図８】本考案のトランプが再度上昇し再びカード混合分配を行う状態示意図である。
【符号の説明】
【００１６】
１        透明台
１０        輸送構造
１１        モーター
１２        輸送輪
２        納置空間
２０        位置限定構造
２１        モーター
２２        駆動腕
２３        昇降台
２４        停止片
３        トランプ
３０        支持構造
３１        モーター
３２        スライドレール
３３        ネジ桿
３４        位置移動台
３５        台板
４０        位置停止構造
４１        モーター
４２        停止塊
４３        円弧面
５０        カード発券構造
５１        モーター
５２        スライドレール
５３        ネジ桿
５４        位置移動台
５５        撥片
Ｈ        隙間
【図１】
0003137250.tif 000003
【図２】
0003137250.tif 000004
【図３】
0003137250.tif 000005
【図４】
0003137250.tif 000006
【図５】
0003137250.tif 000007
【図６】
0003137250.tif 000008
【図７】
0003137250.tif 000009
【図８】
0003137250.tif 000010